(57)【要約】【課題】  レールの肉厚を薄くして軽量化を図りながら変形を防止して、落下衝撃力でマッサージユニットのラックとピニオンとの噛み合いに影響を与えるおそれがないマッサージ機を提供する。【解決手段】  機体フレーム６側のレール１０に固定したラック１１にマッサージユニット１４側のピニオン１３を噛み合わせて、電動モータ１５によるピニオン１３の回転でマッサージユニット１４をレール１０に沿って移動させるようにしたマッサージ機１において、運搬時のマッサージユニット１４のピニオン停止位置Ａのレール１０に、レール１０の変形を抑制する補強部材２０を設けて、ピニオン停止位置Ａのレール１０を部分的に補強して剛性を高めることで、レール１０の変形を抑制する。【選択図】  図２
2006255157.tif 000002
【特許請求の範囲】
【請求項１】
機体フレーム側のレールに固定したラックにマッサージユニット側のピニオンを噛み合わせて、電動モータによるピニオンの回転でマッサージユニットをレールに沿って移動させるようにしたマッサージ機において、
運搬時のマッサージユニットのピニオン停止位置のレールに、レールの変形を抑制する補強部材を設けたことを特徴とするマッサージ機。
【請求項２】
前記レールは、左右位置に設けて、各レールの補強部材を連結部で一体的に連結していることを特徴とする請求項１記載のマッサージ機。
【請求項３】
前記補強部材は、前記機体フレームの被覆用カバーに一体的に設けていることを特徴とする請求項１記載のマッサージ機。
【請求項４】
前記補強部材とレールとの当接面との間に緩衝部材を設けたことを特徴とする請求項１記載のマッサージ機。
【発明の詳細な説明】
【技術分野】
【０００１】
本発明は、マッサージ機に関する。
【背景技術】
【０００２】
従来、機体フレーム側のレールに固定したラックにマッサージユニット側のピニオンを噛み合わせて、電動モータでピニオンを回転させることで、マッサージユニットをレールに沿って移動させるようにしたマッサージ機がある（特許文献１参照）。
【０００３】
前記マッサージ機が椅子式マッサージ機の場合には、背もたれ部の内部の背もたれフレームのレールに固定したラックに、施療子を有するマッサージユニット側のピニオンを噛み合わせて、電動モータでピニオンを回転させることで、マッサージユニットをレールに沿って上下移動させるようになっている。
【０００４】
前記のような椅子式マッサージ機は、通常、梱包状態で運搬されるが、例えば運搬用トラックから荷下ろしする際に、誤って地上に落下させてしまうことが考えられる。このような落下により、椅子式マッサージ機には大きな衝撃力が作用する。
【０００５】
ところで、運搬中の椅子式マッサージ機のマッサージユニットは、予め設定されたピニオン停止位置（通常は背もたれ部の下位置）で上下移動しないように停止されている。
【特許文献１】特開平１０−２１１２４６号公報
【発明の開示】
【発明が解決しようとする課題】
【０００６】
しかしながら、椅子式マッサージ機に落下による大きな衝撃力が作用すると、この落下衝撃力がマッサージユニットのピニオンからラックを経てレールに伝わるので、レールが変形してラックとピニオンとの噛み合いに影響を与えるおそれがある。このレールの変形を防止するには、レール全体の肉厚を厚く（例えば２ｍｍ）すれば良いが、レールを軽量化することができない。
【０００７】
本発明は、前記問題を解消するためになされたもので、レールの肉厚を薄くして軽量化を図りながら変形を防止して、落下衝撃力でマッサージユニットのラックとピニオンとの噛み合いに影響を与えるおそれがないマッサージ機を提供することを目的とするものである。
【課題を解決するための手段】
【０００８】
前記課題を解決するために、本発明は、機体フレーム側のレールに固定したラックにマッサージユニット側のピニオンを噛み合わせて、電動モータによるピニオンの回転でマッサージユニットをレールに沿って移動させるようにしたマッサージ機において、運搬時のマッサージユニットのピニオン停止位置のレールに、レールの変形を抑制する補強部材を設けたことを特徴とするマッサージ機を提供するものである。
【０００９】
レールの変形をより抑制するために、前記レールは、左右位置に設けて、各レールの補強部材を連結部で一体的に連結していることが好ましい。
【００１０】
部品点数や材料コストを削減するために、前記補強部材は、前記機体フレームの被覆用カバーに一体的に設けていることが好ましい。
【００１１】
ラックの損傷を防止するために、前記補強部材とレールとの当接面との間に緩衝部材を設けることが好ましい。
【発明の効果】
【００１２】
本発明によれば、運搬時のマッサージユニットのピニオン停止位置のレールに補強部材を設けたから、ピニオン停止位置のレールが部分的に補強されて剛性が高まるようになる。したがって、椅子式マッサージ機の落下衝撃力がマッサージユニットのピニオンからラックを経てレールに伝わっても、補強部材でレールの変形が抑制されるので、ラックとピニオンとの噛み合いに影響を与えるおそれがなくなる。また、レール全体を補強するのではなく、落下衝撃力が伝わるレールの一部のみを補強するだけであるので、レール全体の肉厚を薄くできて、レールの軽量化が可能になるとともに、構造がきわめて簡単でコスト安になる。
【発明を実施するための最良の形態】
【００１３】
以下、本発明を実施するための最良の形態について、図面を参照しながら詳細に説明する。
【００１４】
図１（ａ）（ｂ）に示すように、椅子式マッサージ機１は、脚フレーム２に座部３と肘掛け部４とを取付けるとともに、前記脚フレーム２に背もたれ部５のバックフレーム（機体フレーム）６を前後回動可能に取付けて、このバックフレーム６と脚フレーム２との間にガススプリング７を連結している。そして、肘掛け部４の横のレバー８の操作でガススプリング７を伸縮させることにより、背もたれ部５をリクライニングさせるようになっている。
【００１５】
前記背もたれ部５内の左右位置には、上下方向に延在する一対のレール１０，１０が配置され、この各レール１０は、略Ｕ字状に形成されて、開口面が対向するように前記バックフレーム６にそれぞれ固定されている。この各レール１０の底部１０ａから立ち上がる両側部１０ｂの内の一方の側部１０ｂには、ラック１１を取付ける凹段部１０ｃが形成されている。
【００１６】
前記各レール１０内には、両側部１０ｂでガイドされるガイドコロ１２と前記ラック１１に噛み合うピニオン１３とが同軸一体で配置されている。
【００１７】
前記左右のレール１０の間にはマッサージユニット１４が配置され、このマッサージユニット１４には、電動モータブロック１５と減速機ブロック１６とが設けられている。
【００１８】
前記マッサージユニット１４には施療子１８が取付けられ、この施療子１８は、前記電動モータブロック１５から減速機ブロック１６に伝達された動力で、揉み、叩き、振動等の各種動作を単独で或いは複合で行うようになる。
【００１９】
前記減速機ブロック１６には、左右方向に延在する駆動軸１７が設けられ、この駆動軸１７の両端部に、前記同軸一体のガイドコロ１２とピニオン１３とがそれぞれ固定されている。
【００２０】
そして、前記電動モータブロック１５から減速機ブロック１６に伝達された動力で駆動軸１７が駆動されると、ピニオン１３が回転してラック１１に噛み合いながら転がり動くので、レール１０の両側部１０ｂでガイドされるガイドコロ１２によって、マッサージユニット１４がレール１０に沿って上下方向に移動されるようになる。このマッサージユニット１４の上下方向の移動で、施療子１８の高さ位置を調整することができる。
【００２１】
前記椅子式マッサージ機１は、通常、梱包状態で運搬されるが、運搬中の椅子式マッサージ機１のマッサージユニット１４は、予め設定されたピニオン停止位置（通常は背もたれ部の下位置）Ａで上下移動しないように停止されている。
【００２２】
図６（ａ）は、ピニオン停止位置Ａのピニオン１３とレール１０との関係を示している。この状態で、椅子式マッサージ機１に落下による大きな衝撃力が作用すると、この落下衝撃力がマッサージユニット１４のピニオン１３からラック１１を経てレール１０に伝わるので、図６（ｂ）のように、ラック１１を取付けた凹段部１０ｃを有する一方の側部１０ｂが他方の側部１０ｂに対して外方へ開くように変形してラック１１とピニオン１３との噛み合いに影響を与えるおそれがある。
【００２３】
そこで、図２（ａ）（ｂ）に示すように、略Ｕ字状に折り曲げた板金製で、側面視で略Ｌ字状の補強部材２０を設けて、前記ピニオン停止位置Ａにおいて、この補強部材２０の上向き部２０ａを前記レール１０の底部１０ａに沿わせて溶接ａ（×印）で固定するとともに、横向き部２０ｂを前記一方の側部１０ｂとラック１１を取付けた凹段部１０ｃとに沿わせて当接させる。なお、溶接で固定する以外に、かしめピンでかしめて固定することもできる。
【００２４】
前記のように椅子式マッサージ機１を構成すれば、運搬時のマッサージユニット１４のピニオン停止位置Ａのレール１０に補強部材２０を設けたから、ピニオン停止位置Ａのレール１０が部分的に補強されて剛性が高まるようになる。
【００２５】
したがって、椅子式マッサージ機１の落下衝撃力がマッサージユニット１４のピニオン１３からラック１１を経てレール１０に伝わった場合、ラック１１を取付けた凹段部１０ｃを有する一方の側部１０ｂが他方の側部１０ｂに対して外方へ開くように変形しようとしても、補強部材２０の横向き部２０ｂに当接して外方へ開かなくなるので、レール１０の変形が抑制されて、ラック１１とピニオン１３との噛み合いに影響を与えるおそれがなくなる。
【００２６】
また、レール１０全体を補強するのではなく、落下衝撃力が伝わるピニオン停止位置Ａのレール１０、つまりレール１０の一部のみを補強するだけであるので、レール１０全体の肉厚を薄く（例えば１ｍｍ）できて、レール１０の軽量化が可能になるとともに、構造がきわめて簡単でコスト安になる。
【００２７】
図３（ａ）に示すように、左右位置のレール１０の補強部材２０を連結部２０ｃで一体的に連結することができる。
【００２８】
このようにすれば、補強部材２０自体の剛性も高まるので、レール１０の変形がより抑制されるようになる。なお、左右の補強部材２０に連結部２０ｃを溶接等で連結しても良く、あるいは、左右の補強部材２０と連結部２０ｃとを一体で成形しても良い。
【００２９】
図３（ｂ）（ｃ）に示すように、前記補強部材２０の連結部２０ｃに取付け孔（取付け部）２０ｄを形成して、この取付け孔２０ｄに、図１の背もたれ部５の背面側（バックフレーム６側）を被覆する被覆用カバー２１のフック部２１ａを差し込み係止して取付けることができる。
【００３０】
このようにすれば、補強部材２０の連結部２０ｃを利用して、背もたれ部５の背面側（バックフレーム６側）の被覆用カバー２１を取付けることができるので、被覆用カバー２１の取付け部を別に設ける必要が無くなって、部品点数や材料コストを削減できるようになる。
【００３１】
図４（ａ）（ｂ）に示すように、前記補強部材２０を前記被覆用カバー２１に一体的に設けることができる。すなわち、被覆用カバー２１が合成樹脂製であれば、この被覆用カバー２１に補強部材２０を一体成形する。この場合には、補強部材２０の上向き部２０ａも前記レール１０の底部１０ａに沿わせるだけで良い。
【００３２】
このようにすれば、背もたれ部５の背面側（バックフレーム６側）を被覆する被覆用カバー２１を利用して、補強部材２０を設けることができるので、部品点数や材料コストを削減できるようになる。
【００３３】
図５（ａ）に示すように、前記補強部材２０の横向き部２０ｂを前記一方の側部１０ｂとラック１１を取付けた凹段部１０ｃとに沿わせて当接させるときに、この当接面の間に、板ばね２２ａや板ゴム２２ｂのような緩衝部材２２を設けることができる。
【００３４】
このようにすれば、落下衝撃力がマッサージユニット１４のピニオン１３からラック１１を経てレール１０に伝わる時に、レール１０の一方の側部１０ｂが緩衝部材２２を介して僅かに撓むことで、ラック１１に対する応力集中が分散されるので、ラック１１の損傷を防止できるようになる。なお、落下衝撃力がなくなると、僅かに撓んだ一方の側部１０ｂは、その復元力で元の位置に復元する。
【００３５】
図５（ｂ）に示すように、図５（ａ）の板ばね２２ａや板ゴム２２ｂのような緩衝部材２２に代えて、前記補強部材２０の横向き部２０ｂに板ばね状部２０ｅを一体形成することができる。
【００３６】
このようにすれば、補強部材２０に一体形成した板ばね状部２０ｅが緩衝部材となるので、部品点数や材料コストを削減できるようになる。
【００３７】
前記実施形態では、マッサージ機として椅子式マッサージ機１を例にとったが、マッサージユニットを備えたベッドであっても良い。
【図面の簡単な説明】
【００３８】
【図１】本発明の実施形態に係る椅子式マッサージ機であり、（ａ）は背面の被覆用カバーを外した斜視図、（ｂ）はレール部分の要部斜視図である。
【図２】レールと補強部材であり、（ａ）は側面図、（ｂ）は斜視図である。
【図３】（ａ）は連結部で連結した補強部材の側面図、（ｂ）は補強部材と被覆用カバーの斜視図、（ｃ）は（ｂ）のＢ部分の拡大図である。
【図４】（ａ）は補強部材を一体成形した被覆用カバーの斜視図、（ｂ）は被覆用カバーの補強部材とレールとの関係を示す平面図である。
【図５】（ａ）は緩衝部材を設けた補強部材とレールとの関係を示す斜視図、（ｂ）は板ばね状部を設けた補強部材とレールとの関係を示す斜視図である。
【図６】（ａ）はレールのラックとピニオンとの関係を示す側面図、（ｂ）はラックを取付けた一方の側部が他方の側部に対して外方へ開くように変形した状態の側面図である。
【符号の説明】
【００３９】
１      椅子式マッサージ機（マッサージ機）
５      背もたれ部
６      バックフレーム（機体フレーム）
１０    レール
１１    ラック
１３    ピニオン
１４    マッサージユニット
１５    電動モータブロック（電動モータ）
２０    補強部材
２０ａ  上向き部
２０ｂ  横向き部
２０ｃ  連結部
２０ｄ  取付け孔（取付け部）
２０ｅ  板ばね状部（緩衝部材）
２１    被覆用カバー
２２    緩衝部材
２２ａ  板ばね
２２ｂ  板ゴム
Ａ      ピニオン停止位置
【図１】
2006255157.tif 000003
【図２】
2006255157.tif 000004
【図３】
2006255157.tif 000005
【図４】
2006255157.tif 000006
【図５】
2006255157.tif 000007
【図６】
2006255157.tif 000008